(57)【要約】      （修正有）【課題】取り扱いが容易であり密封性に優れる放射線検出装置を提供する。【解決手段】放射線検出装置１は、放射線検出パネル２と、放射線検出パネル２を収容する筐体４と、を備え、筐体は、放射線検出パネル２の放射線入射面２ａを覆う天板７と、放射線検出パネル２の外周を囲む外枠８と、が一体に形成されてなるフロント部材５と、フロント部材５の開口部９を塞ぐバック部材６と、フロント部材５とバック部材６との間に挟み込まれる環状の第１シール部材１９と、を含み、バック部材６は、外枠８の内側に嵌合する内枠１０を有し、第１シール部材１９は、外枠８に対する内枠１０の嵌合方向に、天板７と内枠１０との間に挟み込まれている。【選択図】図２
2019113401.tif 000002
【特許請求の範囲】
【請求項１】
放射線検出パネルと、
前記放射線検出パネルを収容する筐体と、
を備え、
前記筐体は、
前記放射線検出パネルの放射線入射面を覆う天板と、前記放射線検出パネルの外周を囲む外枠と、が一体に形成されてなるフロント部材と、
前記フロント部材の前記天板とは反対側の開口部を塞ぐバック部材と、
前記フロント部材と前記バック部材との間に挟み込まれる環状の第１シール部材と、
を含み、
前記バック部材は、前記外枠の内側に嵌合する内枠を有し、
前記第１シール部材は、前記外枠に対する前記内枠の嵌合方向に、前記天板と前記内枠との間に挟み込まれている放射線検出装置。
【請求項２】
請求項１記載の放射線検出装置であって、
前記筐体は、前記天板と前記内枠とを前記嵌合方向に結合する複数の締結部材を含む放射線検出装置。
【請求項３】
請求項２記載の放射線検出装置であって、
前記締結部材は、前記第１シール部材の内側に配置されている放射線検出装置。
【請求項４】
請求項３記載の放射線検出装置であって、
前記締結部材は、前記天板及び前記内枠の一方を貫通して他方と係合している放射線検出装置。
【請求項５】
請求項４記載の放射線検出装置であって、
前記筐体は、前記天板又は前記内枠に形成される貫通孔を密封する第２シール部材を含む放射線検出装置。
【請求項６】
請求項３から５のいずれか一項記載の放射線検出装置であって、
前記放射線検出パネルの前記放射線入射面とは反対側の背面側に配置され、前記筐体に収容される回路基板と、
前記放射線検出パネルと前記回路基板とを接続する複数のフレキシブル基板と、
を備え、
前記フレキシブル基板は、前記放射線検出パネルの外周の少なくとも一部の縁に沿って間隔をあけて配置されており、且つアーチ状に湾曲された状態で前記放射線検出パネルの外周から前記外枠及び前記内枠に向けて突出しており、
前記内枠は、前記締結部材と係合する係合部を、隣り合う二つの前記フレキシブル基板の間に有する放射線検出装置。
【請求項７】
請求項３から６のいずれか一項記載の放射線検出装置であって、
前記筐体は直方体状であり、
前記締結部材は、前記天板の四隅を除き、前記天板の四辺に沿って設けられている放射線検出装置。
【請求項８】
請求項７記載の放射線検出装置であって、
前記バック部材は、前記開口部に配置される底を有し、
前記底の四隅には、補強部が設けられている放射線検出装置。
【請求項９】
請求項８記載の放射線検出装置であって、
前記補強部は、前記底から前記天板に向けて突出している一つ以上のリブである放射線検出装置。
【請求項１０】
請求項７から９のいずれか一項記載の放射線検出装置であって、
前記締結部材を前記天板の四辺に沿って結んでなる枠線を境界として、前記天板における前記枠線の外側領域は、前記枠線の内側領域よりも厚い放射線検出装置。
【請求項１１】
請求項１から１０のいずれか一項記載の放射線検出装置であって、
前記放射線検出パネルを第１面にて支持する支持部材と、
前記支持部材の前記第１面とは反対側の第２面と、前記第２面に対向する前記バック部材の底との間に配置される複数のスペーサと、
を備え、
前記支持部材は、前記複数のスペーサを介して、前記バック部材に固定されている放射線検出装置。
【発明の詳細な説明】
【技術分野】
【０００１】
本発明は、放射線検出装置に関する。
【背景技術】
【０００２】
被写体の放射線画像の取得に、いわゆるＦＰＤ（Flat Panel Detector）が用いられている。ＦＰＤは、例えば、入射する放射線の放射線量に応じた蛍光を発するシンチレータと、シンチレータの蛍光を検出する画素が二次元状に配列された検出基板とを備える。被写体を透過した放射線がシンチレータに入射し、シンチレータに生じる蛍光が画素によって電気信号に変換され、各画素から出力される電気信号に基づいて被写体の放射線画像データが生成される。そして、ＦＰＤを備える放射線検出装置として、ＦＰＤが筐体に収容され、可搬に構成された、いわゆる電子カセッテが知られている。
【０００３】
特許文献１に記載された放射線検出装置は、放射線が入射する検出面を形成する検出面カバー部と、ＦＰＤである放射線検出部を収納し且つ検出面カバー部と接合される筐体とを備え、筐体は、放射線検出部の外周を囲む枠と、枠と一体に形成されている底とを有する。検出面カバー部は枠の開口部に重なっており、検出面カバー部と枠との間にはシール部材が挟み込まれている。
【０００４】
特許文献２に記載された放射線撮影用カセッテでは、ＦＰＤを収容する筐体が、矩形状の天板部及び天板部の四辺の縁部に立設されたフレーム部を有するフロント部材と、フロント部材の底部開口を塞ぐバック部材とで構成されている。天板部とフレーム部とは一体に形成されており、天板部とフレーム部との接続部には面取りが施されている。
【０００５】
特許文献３に記載された電子カセッテでは、ＦＰＤである画像検出部を収容する筐体が、前面と、背面と、４つの側面とで構成される略直方体状を有する。前面と４つの側面とは一体に形成されており、前面と４つの側面とは滑らかな曲面を介して接続されている。
【先行技術文献】
【特許文献】
【０００６】
【特許文献１】特開２０００−２５８５４１号公報
【特許文献２】特開２０１３−７６７８３号公報
【特許文献３】特開２０１６−６５７２８号公報
【発明の概要】
【発明が解決しようとする課題】
【０００７】
電子カセッテは、例えばベッドに横臥する被写体とベッドとの間に挿入されて用いられ、電子カセッテには被写体の荷重が作用する。特許文献１に記載された放射線検出装置では、被写体に接する検出面カバー部と放射線検出部の外周を囲む枠とが分離されており、例えば放射線検出装置が被写体とベッドとの間に挿入される際に検出面カバー部の縁が被写体に引っ掛かる虞があり、また、荷重に対する検出面カバー部の剛性が不足する虞があり、取り扱いに注意を要する。
【０００８】
一方、特許文献２に記載された放射線撮影用カセッテでは、フロント部材の天板部とフレーム部とが一体に形成されており、カセッテが被写体とベッドとの間に挿入される際の引っ掛かりが抑制され、天板部及びフレーム部の剛性が相補的に向上する。しかし、互いに分離されたフロント部材とバック部材との密封が考慮されていない。特許文献３に記載された電子カセッテもまた、前面と４つの側面とが一体に形成されているが、互いに分離されている後面と、４つの側面との密封は考慮されていない。密封性が損なわれると、筐体内部に水が浸入し、また光が進入する可能性があり、ＦＰＤの損傷、放射線の誤検出等の虞がある。
【０００９】
本発明は、上述した事情に鑑みなされたものであり、取り扱いが容易であり密封性に優れる放射線検出装置を提供することを目的とする。
【課題を解決するための手段】
【００１０】
本発明の一態様の放射線検出装置は、放射線検出パネルと、上記放射線検出パネルを収容する筐体と、を備え、上記筐体は、上記放射線検出パネルの放射線入射面を覆う天板と、上記放射線検出パネルの外周を囲む外枠と、が一体に形成されてなるフロント部材と、上記フロント部材の上記天板とは反対側の開口部を塞ぐバック部材と、上記フロント部材と上記バック部材との間に挟み込まれる環状の第１シール部材と、を含み、上記バック部材は、上記外枠の内側に嵌合する内枠を有し、上記第１シール部材は、上記外枠に対する上記内枠の嵌合方向に、上記天板と上記内枠との間に挟み込まれている。
【発明の効果】
【００１１】
本発明によれば、取り扱いが容易であり密封性に優れる放射線検出装置を提供することができる。
【図面の簡単な説明】
【００１２】
【図１】本発明の実施形態を説明するための、放射線検出装置の一例の斜視図である。
【図２】図１のII−II線断面図である。
【図３】図１の放射線検出装置の平面図である。
【図４】図３のIV−IV線断面図である。
【図５】図１の放射線検出装置の変形例の断面図である。
【図６】図１の放射線検出装置のバック部材に設けられる補強部の一例を示す模式図である。
【図７】図１の放射線検出装置のバック部材に設けられる係合部の配置例を示す模式図である。
【発明を実施するための形態】
【００１３】
図１及び図２は、本発明の実施形態を説明するための、放射線検出装置の一例を示す。
【００１４】
図１及び図２に示す放射線検出装置１は、いわゆる電子カセッテであり、Ｘ線等の放射線を検出する放射線検出パネル２と、放射線検出パネル２を支持する支持部材３と、放射線検出パネル２及び支持部材３を収容する筐体４と、を備える。
【００１５】
筐体４は、直方体状に形成されており、典型的には国際規格ＩＳＯ（International Organization for Standardization）４０９０：２００１に準拠した大きさに形成される。筐体４は、フロント部材５と、バック部材６とを含む。
【００１６】
フロント部材５は、放射線検出パネル２の放射線入射面２ａを覆う天板７と、放射線検出パネル２の外周を囲む外枠８とが一体に形成されている。フロント部材５を形成する材料は、耐荷重性に加えて軽量化を両立可能な材料が好ましく、比重が３．０以下でかつヤング率が１．８ＧＰａ以上を満たす、マグネシウム合金、アルミニウム合金、繊維強化樹脂、ＣＮＦ（セルロースナノファイバー）強化樹脂、樹脂等であるが、フロント部材５には放射線が透過する天板７が設けられることを考慮すれば、放射線透過率に優れる繊維強化樹脂等の樹脂材料が好適である。
【００１７】
バック部材６は、外枠８の内側に嵌合する内枠１０と、フロント部材５の天板７とは反対側の開口部９に配置される底１１とが一体に形成されており、開口部９を塞いでいる。バック部材６を形成する材料は、耐荷重性に加えて軽量化を両立可能な材料が好ましく、比重が３．０以下でかつヤング率が１．８ＧＰａ以上を満たす、マグネシウム合金、アルミニウム合金、繊維強化樹脂、ＣＮＦ（セルロースナノファイバー）強化樹脂、樹脂等である。
【００１８】
放射線検出パネル２は、シンチレータ１２と検出基板１３とを有し、筐体４の内部で天板７の背後に配置されている。シンチレータ１２は、ＣｓＩ：Ｔｌ（タリウム賦活ヨウ化セシウム）又はＧＯＳ（Ｇｄ２Ｏ２Ｓ：Ｔｂ、テルビウム賦活ガドリウムオキシサルファイド）等の蛍光体を含有し、入射する放射線の放射線量に応じた蛍光を発する。検出基板１３は、二次元状に配列された複数の画素を有し、これらの画素によってシンチレータ１２に生じる蛍光を検出し、検出した蛍光を電気信号に変換する。
【００１９】
なお、図１及び図２に示す例では、シンチレータ１２と検出基板１３とは、筐体４の天板７側からシンチレータ１２、検出基板１３の順に積層されているが、天板７側から検出基板１３、シンチレータ１２の順に積層されてもよい。また、信号電荷を生成する検出基板１３の各画素の光導電膜が例えばアモルファスセレンからなり、放射線を信号電荷に直接変換する直接変換型の放射線検出パネルが用いられてもよい。
【００２０】
支持部材３は、板状の部材であり、矩形状に形成されている。なお、本明細書において、矩形状は、角が直角の四角形に限定されず、角に面取り又は角丸めが施された四角形も含むものとする。支持部材３は、筐体４の天板７に対向して配置される第１面１４と、第１面１４とは反対側の第２面１５とを有し、放射線検出パネル２は、支持部材３の第１面１４に支持されている。支持部材３を形成する材料は、耐荷重性に加えて軽量化を両立可能な材料が好ましく、比重が３．０以下でかつヤング率が１．８ＧＰａ以上を満たす、マグネシウム合金、アルミニウム合金、繊維強化樹脂、ＣＮＦ（セルロースナノファイバー）強化樹脂、樹脂等である。
【００２１】
支持部材３は、支持部材３の第２面１５に設けられた複数のスペーサ１６によって支持されている。スペーサ１６は、第２面１５と第２面１５に対向するバック部材６の底１１との間に配置されており、支持部材３と底１１との間には、適宜なスペースがあけられている。そして、支持部材３は、スペーサ１６を介してバック部材６に固定されている。
【００２２】
スペーサ１６は、支持部材３と一体に形成されてもよく、支持部材３がアルミニウム合金、マグネシウム合金等の金属材料からなる場合に、鋳造、鍛造等によって支持部材３と一体に形成され、また、支持部材３が繊維強化樹脂等の樹脂材料からなる場合に、真空成形等によって支持部材３と一体に形成され得る。また、スペーサ１６は、支持部材３とは別体に形成され、支持部材３に接合されてもよく、この場合、スペーサ１６の材料は特に限定されない。また、スペーサ１６は、エラストマ等の緩衝材を介して筐体４の底１１に接してもよい。
【００２３】
支持部材の３と底１１との間には、回路基板１７が配置されている。回路基板１７には、検出基板１３の駆動を制御する駆動制御回路、検出基板１３から出力される電気信号を処理する信号処理回路、外部との通信を行うための通信回路、電源回路等が形成されている。なお、回路基板１７は、図２では単一の要素として模式的に示されているが、複数に分割され、支持部材の３と底１１との間に分散して配置されてもよい。
【００２４】
また、図示は省略するが、支持部材３と底１１との間には、検出基板１３及び回路基板１７に電力を供給する電力供給部も配置されている。電力供給部は、例えばリチウムイオン二次電池等の充電可能な電池であり、又は電気二重層キャパシタ、リチウムイオンキャパシタ等のキャパシタである。
【００２５】
支持部材３の第１面１４側に配置されている放射線検出パネル２の検出基板１３と、支持部材３の第２面１５側に配置されている回路基板１７とは、複数のフレキシブル基板１８によって接続されている。フレキシブル基板１８は、放射線検出パネル２の外周から外枠８及び内枠１０に向けて突出しており、アーチ状に湾曲された状態で支持部材３と筐体４の外枠８及び内枠１０との間を通され、そして、回路基板１７まで引き回されている。
【００２６】
筐体４は、フロント部材５とバック部材６との間に挟み込まれる環状の第１シール部材１９をさらに含む。第１シール部材１９は、例えばシリコーンゴム、発泡体等の弾性体であり、筐体４の外枠８に対する内枠１０の嵌合方向に、筐体４の天板７と内枠１０との間に挟み込まれている。フロント部材５とバック部材６とは互いに固定され、フロント部材５とバック部材６とが互いに固定された状態で、第１シール部材１９は天板７と内枠１０とに密接しており、筐体４の内部への水の浸入、光の進入を阻止する。
【００２７】
フロント部材５の天板７と外枠８とが一体に形成されていることにより、放射線検出装置１が被写体とベッドとの間に挿入される際の引っ掛かりが抑制され、放射線検出装置１の取り扱いが容易となる。また、天板７と外枠８とが一体に形成されていることにより、フロント部材５の剛性が向上する。同様に、内枠１０と底１１とが一体に形成されていることにより、バック部材６の剛性が向上する。
【００２８】
そして、フロント部材５の剛性の向上に応じて天板７の撓みが抑制され、バック部材６の剛性の向上に応じて内枠１０の倒れが抑制される。この天板７と内枠１０との間に第１シール部材１９が挟み込まれていることによって、放射線検出装置１に負荷がかかった場合にも、天板７及び内枠１０と第１シール部材１９とが密接した状態に保たれる。これにより、筐体４の密封性を高めることができる。
【００２９】
なお、放射線検出装置１は、例えば以下のようにして組み立てられる。まず、支持部材３の第１面１４に放射線検出パネル２が接合され、且つ支持部材３の第２面１５に回路基板１７及び上記電力供給部が接合された状態で、支持部材３が複数のスペーサ１６を介してバック部材６に固定される。そして、バック部材６の内枠１０に第１シール部材１９が載置され、バック部材６にフロント部材５が被せられる。このように、放射線検出パネル２、支持部材３、回路基板１７、電力供給部等の筐体収容物をバック部材６に配置且つ固定した後にフロント部材５を取り付けることにより、組み立て作業性を高めることができる。
【００３０】
図３及び図４は、フロント部材５とバック部材６とを互いに固定する締結部材の配置例を示す。
【００３１】
筐体４は、フロント部材５とバック部材６とを互いに固定する締結部材としての複数のねじ２０をさらに含む。ねじ２０は、フロント部材５の天板７の四辺に沿って適宜な間隔をあけて設けられており、フロント部材５の外枠８に対するバック部材６の内枠１０の嵌合方向に天板７と内枠１０とを結合している。
【００３２】
ねじ２０は、天板７を貫通してバック部材６の内枠１０に係合している。天板７には貫通孔２１が形成されており、天板７の外面には、貫通孔２１を貫通したねじ２０の頭部２２を収容する凹部２３が形成されている。内枠１０には、ねじ２０と係合する係合部２４が設けられており、係合部２４には、ねじ孔が形成されている。係合部２４は、放射線検出パネル２及び支持部材３に向けて内枠１０の内面から突出しており、内枠１０と一体に形成されている。なお、ねじ２０は、バック部材６の内枠１０を貫通してフロント部材５の天板７に係合してもよい。この場合に、貫通孔は内枠１０の係合部２４に形成され、ねじ孔は天板７に形成される。
【００３３】
外枠８に対する内枠１０の嵌合方向と交差する方向に外枠８と内枠１０とが結合されてもよいが、外枠８に対する内枠１０の嵌合方向に天板７と内枠１０とが結合されることによって、嵌合方向に天板７と内枠１０との間に挟み込まれている第１シール部材１９を確実に圧縮でき、筐体４の密封性を高めることができる。
【００３４】
また、ねじ２０は、環状の第１シール部材１９の内側に配置されている。ねじ２０は、第１シール部材１９の外側に配置されてもよいが、第１シール部材１９の内側に配置されていることにより、第１シール部材１９の幅Ｗを拡大でき、筐体４の密封性を高めることができる。ねじ２０及び係合部２４は適宜な間隔をあけて配置されているが、ねじ２０が第１シール部材１９の外側に配置される場合に、係合部２４の突出量Ｐに相当する距離だけ、第１シール部材１９が全周に亘って筐体４の内方に退けられ、天板７との間に第１シール部材１９を挟み込む内枠１０の内面も全周に亘って筐体４の内方に後退する。このため、内枠１０と放射線検出パネル２及び支持部材３とのクリアランスが全周に亘って狭まる。クリアランスを確保するには第１シール部材１９の幅Ｗが縮小される。一方、ねじ２０が第１シール部材１９の内側に配置される場合に、ねじ配置箇所では、内枠１０の内面から突出する係合部２４によってクリアランスが狭まるが、隣り合う２つのねじ配置箇所の間、すなわち隣り合う２つの係合部２４の間ではクリアランスが相対的に広がる。そこで、放射線検出装置１が床等に落下した際に相対的に大きな変形が見込まれる筐体部位を除いてねじ２０を配置することにより、クリアランスを確保し且つ第１シール部材１９の幅Ｗを拡大できる。
【００３５】
図３に示すように、好ましくは、ねじ２０は、天板７の四隅を除き、天板７の四辺に沿って設けられる。放射線検出装置１が床等に落下した際に筐体４の角部には相対的に大きな変形が見込まれるが、ねじ２０が天板７の四隅を除いて設けられることにより、角部における内枠１０と放射線検出パネル２及び支持部材３とのクリアランスが確保される。これにより、角部の変形に伴う内枠１０と放射線検出パネル２及び支持部材３との衝突を抑制でき、放射線検出パネル２の破損を抑制できる。
【００３６】
ねじ２０が第１シール部材１９の内側に配置されているため、天板７の貫通孔２１は筐体４の内部に直接通じている。そこで、筐体４は、貫通孔２１を密封する第２シール部材を有する。図４に示す例では、第２シール部材は、ねじ２０に装着されるＯリング２５であり、Ｏリング２５は、ねじ２０の頭部２２と天板７の外面の凹部２３との間に挟み込まれている。なお、第２シール部材は、Ｏリングに限定されず、図５に示すように、天板７の外面に貼付され、凹部２３を塞ぐシート２６でもよい。貫通孔が天板７に替えて内枠１０の係合部２４に形成される場合にも、Ｏリング２５、シート２６等の第２シール部材は適用可能である。
【００３７】
また、図４に示すように、好ましくは、バック部材６の底１１の四隅には、補強部２７が設けられる。天板７の四隅にねじ２０が設けられておらず、天板７の四隅では、ねじ２０を介した天板７と内枠１０との結合に基づく第１シール部材１９の圧縮が相対的に弱まる。底１１の四隅に補強部２７を設け、第１シール部材１９の反力に起因する底１１の四隅の撓みを抑制し、第１シール部材１９の圧縮を補うことができる。
【００３８】
底１１の四隅の補強部２７は、例えば図６に示すように、底１１から天板７に向けて突出しているリブによって構成できる。図６に示す例では、補強部２７は、一つの角Ａが底１１の中心に向けられた四角形状のリブ２８と、角Ａと対角Ｂとを繋ぐリブ２９との二つのリブによって構成されている。なお、補強部２７は、底１１の四隅の撓みを抑制し得る限りにおいて、図６に示す例に限定されない。
【００３９】
また、図４に示すように、好ましくは、ねじ２０を天板７の四辺に沿って結んでなる枠線ＦＬ（図３参照）を境界として、天板７における枠線Ｌの外側領域Ｌｏｕｔは、枠線Ｌの内側領域Ｌｉｎよりも厚い。これにより、放射線透過率を低下させることなくフロント部材５の剛性を高めることができ、放射線検出装置１に負荷がかかった場合にも、天板７及び内枠１０と第１シール部材１９とが密接した状態を保ち、筐体４の密封性を高めることができる。
【００４０】
図７は、ねじ２０と係合する内枠１０の係合部２４の配置例を示す。
【００４１】
図７に示す例では、放射線検出パネル２と回路基板１７とを接続しているフレキシブル基板１８が、放射線検出パネル２の外周の少なくとも一部の縁（一辺）に沿って間隔をあけて配置されている。フレキシブル基板１８が並ぶ放射線検出パネル２の一辺に対向している内枠１０の一面１０ａには、係合部２４が設けられており、係合部２４は、放射線検出パネル２及び支持部材３に向けて内枠１０の一面１０ａから突出している。そして、係合部２４は、隣り合う二つのフレキシブル基板１８の間に配置されている。
【００４２】
係合部２４が、隣り合う二つのフレキシブル基板１８の間に配置されていることにより、放射線検出パネル２及び支持部材３と係合部２４との間のクリアランスと、フレキシブル基板１８と内枠１０との間のクリアランスとを確保して、放射線検出パネル２及び支持部材３を拡大でき、放射線検出パネル２（検出基板１３）の有効画素領域を拡張できる。
【００４３】
以上、説明したとおり、本明細書に開示された放射線検出装置は、放射線検出パネルと、上記放射線検出パネルを収容する筐体と、を備え、上記筐体は、上記放射線検出パネルの放射線入射面を覆う天板と、上記放射線検出パネルの外周を囲む外枠と、が一体に形成されてなるフロント部材と、上記フロント部材の上記天板とは反対側の開口部を塞ぐバック部材と、上記フロント部材と上記バック部材との間に挟み込まれる環状の第１シール部材と、を含み、上記バック部材は、上記外枠の内側に嵌合する内枠を有し、上記第１シール部材は、上記外枠に対する上記内枠の嵌合方向に、上記天板と上記内枠との間に挟み込まれている。
【００４４】
また、本明細書に開示された放射線検出装置は、上記筐体は、上記天板と上記内枠とを上記嵌合方向に結合する複数の締結部材を含む。
【００４５】
また、本明細書に開示された放射線検出装置は、上記締結部材は、上記第１シール部材の内側に配置されている。
【００４６】
また、本明細書に開示された放射線検出装置は、上記締結部材は、上記天板及び上記内枠の一方を貫通して他方と係合しており、上記筐体は、上記天板又は上記内枠に形成される貫通孔を密封する第２シール部材を含む。
【００４７】
また、本明細書に開示された放射線検出装置は、上記放射線検出パネルの上記放射線入射面とは反対側の背面側に配置され、上記筐体に収容される回路基板と、上記放射線検出パネルと上記回路基板とを接続する複数のフレキシブル基板と、を備え、上記フレキシブル基板は、上記放射線検出パネルの外周の少なくとも一部の縁に沿って間隔をあけて配置されており、且つアーチ状に湾曲された状態で上記放射線検出パネルの外周から上記外枠及び上記内枠に向けて突出しており、上記内枠は、上記締結部材と係合する係合部を、隣り合う二つの上記フレキシブル基板の間に有する。
【００４８】
また、本明細書に開示された放射線検出装置は、上記筐体は直方体状であり、上記締結部材は、上記天板の四隅を除き、上記天板の四辺に沿って設けられている。
【００４９】
また、本明細書に開示された放射線検出装置は、上記バック部材は、上記開口部に配置される底を有し、上記底の四隅には、補強部が設けられている。
【００５０】
また、本明細書に開示された放射線検出装置は、上記補強部は、上記底から上記天板に向けて突出している一つ以上のリブである。
【００５１】
また、本明細書に開示された放射線検出装置は、上記締結部材を上記天板の四辺に沿って結んでなる枠線を境界として、上記天板における上記枠線の外側領域は、上記枠線の内側領域よりも厚い。
【符号の説明】
【００５２】
１  放射線検出装置
２  放射線検出パネル
２ａ  放射線検出パネルの放射線入射面
３  支持部材
４  筐体
５  フロント部材
６  バック部材
７  天板
８  外枠
９  外枠の開口部
１０  内枠
１０ａ  内枠の一面
１１  底
１２  シンチレータ
１３  検出基板
１４  支持部材の第１面
１５  支持部材の第２面
１６  スペーサ
１７  回路基板
１８  フレキシブル基板
１９  第１シール部材
２０  ねじ（締結部材）
２１  貫通孔
２２  ねじの頭部
２３  凹部
２４  係合部
２５  Ｏリング（第２シール部材）
２６  シート（第２シール部材）
２７  補強部
２８  リブ
２９  リブ
Ａ  角
Ｂ  対角
Ｌ  枠線
Ｌｏｕｔ  枠線の外側領域
Ｌｉｎ  枠線の内側領域
Ｐ  係合部の突出量
Ｗ  第１シール部材の幅
【図１】
2019113401.tif 000003
【図２】
2019113401.tif 000004
【図３】
2019113401.tif 000005
【図４】
2019113401.tif 000006
【図５】
2019113401.tif 000007
【図６】
2019113401.tif 000008
【図７】
2019113401.tif 000009